(57)【要約】【課題】間接活線工法にて効率的に変圧器内の絶縁油を採取できる採油工具及び採油方法を提供する。【解決手段】採油工具は、操作棒２と、開放爪３と、採油管操作棒４と、真空容器５と、キャップ６と、採油管７と、連結部材８と、ストッパ９と、を備える。操作棒２は、先端部１１を含む。開放爪３は、先端部１１に取り付けられる。採油管操作棒４は、操作棒２の軸方向に移動可能である。真空容器５は、採油管操作棒４の先端に取り付けられ、先端に内部を密封するシール１８を含む。キャップ６は、真空容器５が操作棒２の軸方向に移動可能に挿入される。採油管７は、キャップ６内部に突出し、シール１８と対向する針１９を後端に含み、キャップ６に固定される。連結部材８は、真空容器５とキャップ６とを連結する。ストッパ９は、操作棒２に取り付けられ、採油管７が貫通し、キャップ６と対向する。【選択図】図５
2019102717.tif 000002
【特許請求の範囲】
【請求項１】
先端部を含む操作棒と、
前記先端部に取り付けられた開放爪と、
前記操作棒の軸方向に移動可能な採油管操作棒と、
前記採油管操作棒の先端に取り付けられ、先端に内部を密封するシールを含む真空容器と、
前記真空容器が前記操作棒の軸方向に移動可能に挿入されたキャップと、
前記キャップ内部に突出し、前記シールと対向する針を後端に含み、前記キャップに固定された採油管と、
前記真空容器と前記キャップとを連結する連結部材と、
前記操作棒に取り付けられ、前記採油管が貫通し、前記キャップと対向するストッパと、を備える、採油工具。
【請求項２】
請求項１に記載の採油工具であって、
前記ストッパは、前記採油管が貫通する油吸収部材を含む、採油工具。
【請求項３】
請求項１又は請求項２に記載の採油工具を用いて変圧器内の絶縁油を採取する方法であって、
変圧器の蓋のロックボルトを緩める工程と、
前記採油工具の前記操作棒の先端部及び前記開放爪で、前記ロックボルトが緩められた変圧器の蓋を開放する工程と、
前記採油管操作棒を操作し、前記蓋が開放された変圧器の内部に、前記採油管の先端を挿入する工程と、
前記採油管操作棒を操作し、前記キャップを前記ストッパに押し当て、前記真空容器のシールに前記採油管の針を貫通させ、前記変圧器内の絶縁油を採取する工程と、を備える、採油方法。
【発明の詳細な説明】
【技術分野】
【０００１】
本発明は、採油工具及び採油方法に関する。さらに詳しくは、変圧器内の絶縁油を採取するための採油工具及び採油方法に関する。
【背景技術】
【０００２】
電柱には変圧器が設置されている。変圧器の内部には絶縁油が充填されている。従来、絶縁油にはポリ塩化ビフェニル（ＰＣＢ）が含有されていた。近年、ＰＣＢは人体に有害であることが知られるようになり、既設の変圧器内の絶縁油がＰＣＢを含有しているか否かの確認作業が行われている。
【０００３】
絶縁油の確認作業は、変圧器の点検や交換の際に行われている。絶縁油の確認作業では、周辺設備を停電させ、電柱上の変圧器を電柱から取り外し、地上に降ろす。そして、変圧器を開放し、変圧器内の絶縁油を採取し、分析する。
【０００４】
変圧器内の絶縁油の採取装置及び方法はたとえば、実開平３−１２７２４１号公報（特許文献１）に開示されている。
【０００５】
特許文献１に記載された抽出容器では、真空隔壁により内部が真空にされている。この真空の抽出容器に針の一方の端を差込み、針の他方の端を油内に挿入する。真空の抽出容器と外気との圧力差により、油が抽出容器内に注入される。そして、抽出容器内の油にキャリヤーガスを注入し、油内に溶解しているガスを抽出する。これにより、変圧器内の油の抽出、分析を効果的に行うことができる、と特許文献１には記載されている。
【先行技術文献】
【特許文献】
【０００６】
【特許文献１】実開平３−１２７２４１号公報
【発明の概要】
【発明が解決しようとする課題】
【０００７】
しかしながら、従来の絶縁油の確認作業では、周辺設備を停電させ、電柱上の変圧器を電柱から取り外し、地上に降ろしていた。この際、変圧器に接続されている配線等を全て取り外し、変圧器をクレーンで地上に降ろしていた。そのため、絶縁油の確認作業に数時間を要していた。特許文献１には試料油の抽出、分析方法については開示はあるものの、実際の変圧器内の絶縁油の採取に関して具体的な記載はなく、作業内容が不明である。
【０００８】
本発明の目的は、間接活線工法にて効率的に変圧器内の絶縁油を採取できる採油工具及び採油方法を提供することである。
【課題を解決するための手段】
【０００９】
本実施形態の採油工具は、操作棒と、開放爪と、採油管操作棒と、真空容器と、キャップと、採油管と、連結部材と、ストッパと、を備える。操作棒は、先端部を含む。開放爪は、先端部に取り付けられる。採油管操作棒は、操作棒の軸方向に移動可能である。真空容器は、採油管操作棒の先端に取り付けられ、先端に内部を密封するシールを含む。キャップは、真空容器が操作棒の軸方向に移動可能に挿入される。採油管は、キャップ内部に突出し、シールと対向する針を後端に含み、キャップに固定される。連結部材は、真空容器とキャップとを連結する。ストッパは、操作棒に取り付けられ、採油管が貫通し、キャップと対向する。
【００１０】
本実施形態の採油方法は、上述の採油工具を用いて変圧器内の絶縁油を採取する方法である。採油方法は、ボルト緩め工程と、蓋開放工程と、採油管挿入工程と、油採取工程と、を備える。ボルト緩め工程では、変圧器の蓋のロックボルトを緩める。蓋開放工程では、採油工具の操作棒の先端部及び開放爪で、ロックボルトが緩められた変圧器の蓋を開放する。採油管挿入工程では、採油管操作棒を操作し、蓋が開放された変圧器の内部に、採油管の先端を挿入する。油採取工程では、採油管操作棒を操作し、キャップをストッパに押し当て、真空容器のシールに採油管の針を貫通させ、変圧器内の絶縁油を採取する。
【発明の効果】
【００１１】
本発明による採油工具及び採油方法は、間接活線工法にて効率的に変圧器内の絶縁油を採取できる。
【図面の簡単な説明】
【００１２】
【図１】図１は、採油工具の側面図である。
【図２】図２は、操作棒の先端部付近の拡大図である。
【図３】図３は、採油管操作棒を先端側に押し込んだ場合の採油工具の側面図である。
【図４】図４は、真空容器付近の斜視図である。
【図５】図５は、図４中のＶ−Ｖ線での断面図である。
【図６】図６は、ストッパを示す斜視図である。
【図７】図７は、操作棒に取り付けられたロックボルト締付け・緩め工具の側面図である。
【図８】図８は、ロックボルト締付け・緩め工具の側面図である。
【図９】図９は、ロックボルト締付け・緩め工具の斜視図である。
【図１０】図１０は、ボルト緩め工程を示す図である。
【図１１】図１１は、蓋開放工程を示す図である。
【図１２】図１２は、採油管挿入工程を示す図である。
【図１３】図１３は、金具戻し工具の斜視図である。
【発明を実施するための形態】
【００１３】
本実施形態の採油工具は、操作棒と、開放爪と、採油管操作棒と、真空容器と、キャップと、採油管と、連結部材と、ストッパと、を備える。操作棒は、先端部を含む。開放爪は、先端部に取り付けられる。採油管操作棒は、操作棒の軸方向に移動可能である。真空容器は、採油管操作棒の先端に取り付けられ、先端に内部を密封するシールを含む。キャップは、真空容器が操作棒の軸方向に移動可能に挿入される。採油管は、キャップ内部に突出し、シールと対向する針を後端に含み、キャップに固定される。連結部材は、真空容器とキャップとを連結する。ストッパは、操作棒に取り付けられ、採油管が貫通し、キャップと対向する。
【００１４】
本実施形態の採油工具によれば、操作棒の先端部及び先端部に取り付けられた開放爪によって、変圧器の蓋を開放することができる。採油管操作棒は、操作棒の軸方向に移動可能であるので、作業者が操作棒を保持したまま、すなわち、変圧器の蓋を開放したまま、採油管操作棒を操作棒の先端側（変圧器側）に向かって押し込むことができる。この押し込み操作により、採油管操作棒と一体となっている真空容器、キャップ及び採油管も先端側に向かって移動する。これにより、工具先端から採油管が進出し、変圧器内に挿入される。ストッパは作業者が保持している操作棒に取り付けられており、キャップと対向するため、採油管操作棒を所定の距離押し込むと、キャップがストッパに当たる。真空容器は、キャップに軽圧入されているため、キャップがストッパに当たった後、さらに採油管操作棒を押し込めば、真空容器がキャップ内部にさらに進入する。キャップ内部には真空容器のシールと対向する針が突出しているため、所定の距離押し込むと、針がシールを貫通する。これにより、採油管の一方の端が真空容器内、他方の端が変圧器内の絶縁油内にあるため、真空容器内と外気との圧力差により、変圧器内の絶縁油が真空容器に流入し、絶縁油が採取される。すなわち、本実施形態の採油工具によれば、周辺の設備を停電する必要がなく、かつ、作業者が直接設備の充電部に触れる必要がない、いわゆる間接活線工法が採用できる。さらに、変圧器の蓋の開放と、採油とを１つの工具で行うことができる。そのため、たとえば変圧器が電柱に取り付けられている場合、絶縁油採取において変圧器を電柱から取り外す必要がない。これにより、変圧器内の絶縁油採取の大幅な時間の短縮、費用の低減が図られ、さらには、間接活線工法であるため安全性も向上する。
【００１５】
上記の採油工具において、ストッパは、採油管が貫通する油吸収部材を含むのが好ましい。
【００１６】
絶縁油の採取では、所定の容量が採取できた時点で速やかに採油管を変圧器から引き揚げる。このように、真空容器と外気圧に圧力差があるうちに採油管を引き揚げることにより、絶縁油から離れる際に採油管先端の管内部に残る油滴を吸い上げることが可能である。なお、ストッパには採油管が通るため、ストッパに油吸収部材を設ければ、引き揚げられた採油管が油吸収部材を通る。これにより、採油管先端の管外部周辺に付着する絶縁油を油吸収部材が吸収するため、絶縁油が外部に漏れることが抑制される。
【００１７】
本実施形態の採油方法は、上述の採油工具を用いて変圧器内の絶縁油を採取する方法である。採油方法は、ボルト緩め工程と、蓋開放工程と、採油管挿入工程と、油採取工程と、を備える。ボルト緩め工程では、変圧器の蓋のロックボルトを緩める。蓋開放工程では、採油工具の操作棒の先端部及び開放爪で、ロックボルトが緩められた変圧器の蓋を開放する。採油管挿入工程では、採油管操作棒を操作し、蓋が開放された変圧器の内部に、採油管の先端を挿入する。油採取工程では、採油管操作棒を操作し、キャップをストッパに押し当て、真空容器のシールに採油管の針を貫通させ、変圧器内の絶縁油を採取する。
【００１８】
本実施形態の採油方法は、上述の採油工具を用いるため、絶縁油採取において変圧器を取り外す必要がなく、変圧器内の絶縁油採取の大幅な時間の短縮、費用の低減が図られ、さらには、間接活線工法であるため安全性も高い。なお、本実施形態の採油方法は、電柱に配置された変圧器だけでなく、集合住宅や中規模建築物に設置される借室電気室で使用される変圧器から採油する場合にも適用可能である。
【００１９】
以下、図面を参照して、本発明の実施の形態を詳しく説明する。図中同一又は相当部分には同一符号を付してその説明は繰り返さない。
【００２０】
［採油工具］
図１は、採油工具の側面図である。図１を参照して、採油工具１は、操作棒２と、開放爪３と、採油管操作棒４と、真空容器５と、キャップ６と、採油管７と、連結部材８と、ストッパ９と、を備える。
【００２１】
［操作棒］
操作棒２は、円形断面を有し、その中心軸方向に延びる。操作棒２の材料は、電気絶縁性の高い材料である。操作棒２は、中実の棒でもよいし、中空の棒でもよい。操作棒２の一方の端部（後端）には、グリップ１０が設けられる。作業者は、このグリップを把持して操作棒を操作する。操作棒２は、先端部１１を含む。
【００２２】
図２は、操作棒の先端部付近の拡大図である。図２を参照して、先端部１１の外形は、円である。先端部１１は、操作棒２の先端側から順に、先端円筒部１２及びロックナット１４を含む。先端円筒部１２の外径は、先端部１１中で最大である。ロックナット１４の内部にはピン１５が挿入されている。ピン１５はたとえば、ねじである。先端部１１は、ピン１５を介して操作棒２の先端に取り付けられている。なお、本実施形態では、操作棒２が別体の先端部１１を含む場合を示すが、先端部は操作棒と一体であってもよい。
【００２３】
［開放爪］
開放爪３は、先端部１１に取り付けられる。開放爪３は、操作棒２の中心軸に垂直な方向（先端部の半径方向）に延びる。開放爪３は、先端部１１に取り付けられる開放爪３の端部と反対側の端部が、操作棒２の先端側に向かって湾曲している。つまり、開放爪３はかぎ状である。
【００２４】
変圧器の蓋を開放する際、開放爪３を変圧器３１の蓋３２の内側に引っ掛け、先端部１１の先端円筒部１２を変圧器の蓋３２の上面に当てる。これにより、先端円筒部１２と蓋３２の上面との接点が支点、開放爪３と蓋の内側との接点が作用点、操作棒のグリップを力点として、てこの原理により、変圧器の蓋３２を容易に開放することができる。
【００２５】
［採油管操作棒］
図１を参照して、採油管操作棒４は、円形断面を有し、その中心軸方向に延びる。採油管操作棒４の材料は、絶縁性の高い材料である。採油管操作棒４は、中実の棒でもよいし、中空の棒でもよい。採油管操作棒４の一方の端部（後端）には、グリップ１０が設けられる。作業者は、このグリップを把持して採油管操作棒を操作する。採油管操作棒４は、接続器具１７によって操作棒２と接続される。接続器具１７は、操作棒２に固定され、採油管操作棒４を操作棒２の軸方向に移動可能に把持する。したがって、作業者は採油管操作棒４を操作棒２の先端側に向けて押し込んだり、後端側に向けて引き込めたりすることができる。
【００２６】
図３は、採油管操作棒を先端側に押し込んだ場合の採油工具の側面図である。図３を参照して、作業者が採油管操作棒４を操作することで、採油管操作棒４は操作棒２の軸方向に移動する。後述するように、採油管７を変圧器内に挿入させ、変圧器内の絶縁油を採取するためである。
【００２７】
［真空容器］
図４は、真空容器付近の斜視図である。図４を参照して、真空容器５は、採油管操作棒４の先端に取り付けられる。なお、真空容器５は、保持部材３８の内部に収容されるため、図４では破線で示す。真空容器５は、絶縁油を収容可能である。真空容器５の形状は特に限定されるものではなく、必要な量の絶縁油を収容できればよい。真空容器５としてたとえば、汎用の検体採取管、試験管等、内部が外気圧に対し負圧であるものを用いることができる。
【００２８】
図５は、図４中のＶ−Ｖ線での断面図である。図５を参照して、真空容器５は、シール１８を含む。シール１８は、真空容器５の開放口に設けられる。シール１８は真空容器５の内部を密封する。真空容器５は、シール１８を操作棒２の先端側に向けて採油管操作棒４に取り付けられる。絶縁油を収容する前、真空容器５の内部は真空である。後述するように、採油管操作棒４を操作することで、針１９がシール１８を貫通し、真空容器５内に絶縁油が採取される。
【００２９】
［キャップ］
キャップ６は、円筒形状である。キャップ６には、真空容器５が操作棒２の軸方向に移動可能に挿入されている。ただし、真空容器５はキャップ６に軽圧入されている。そのため、真空容器５はキャップ６内に進入可能であるが、所定の位置以上は、進入しない。所定の位置とは、針１９が真空容器５のシール１８を貫通する位置である。真空容器５がキャップに軽圧入されるのは、真空容器のシール１８の所定の位置を針１９が貫通できるように位置合わせをするためである。
【００３０】
［採油管］
採油管７は、中空のチューブである。採油管は、塩化ビニル、ゴム等からなり、弾性変形可能である。採油管７は、キャップ６に固定され、採油管操作棒４の操作により、キャップ６と一体で移動する。採油管７は、針１９を含む。針１９は採油管の後端に設けられる。針１９は、キャップ６の内部に突出する。すなわち、採油管７はキャップ６を貫通している。針１９は、真空容器のシール１８と対向する。採油管操作棒４を操作することで、針１９がシール１８を貫通し、真空容器内部と採油管内部が空間的につながる。
【００３１】
［連結部材］
図４を参照して、連結部材８は、真空容器５とキャップ６とを連結する。これにより、採油管操作棒４を移動させることで、採油管操作棒４に固定された真空容器５が一体で移動し、連結部材８を介して、キャップ６も一体で移動する。キャップ６には、採油管７が固定されているため、採油管操作棒４を操作棒２の軸方向に移動させることで、採油管７が採油工具１の先端から進出する。これにより、変圧器内に採油管の先端を挿入することができる。ただし、連結部材８は、真空容器５とキャップ６との位置関係を固定させるものではない。連結部材８は、真空容器５のキャップ６の内部への進入を許容する。一方、連結部材８は、真空容器５がキャップ６内部から抜けることを防止する。そのため、キャップ６にはフランジ部１３が設けられ、連結部材８はフランジ部１３と対向し、当接可能な壁部１６を含んでいる。
【００３２】
連結部材８は、真空容器５とキャップ６とを連結すればよく、その形状、材質は特に限定されない。連結部材８はたとえば図４に示すように、一方の端が真空容器５にヒンジ止めされ、他方の端に壁部１６が設けられる。壁部１６はキャップ６を保持できるようスナップリング形状である。この場合、連結部材８は樹脂部材である。その他にも、連結部材８は、針金等によって構成されていてもよい。
【００３３】
［ストッパ］
図６は、ストッパを示す斜視図である。図６では、油吸収部材２１の図示は省略する。図６を参照して、ストッパ９は、操作棒２に固定された板である。ストッパはたとえば、鋼板、プラスチック板である。ストッパは、穴２０を含む。採油管７は、ストッパ９の穴２０を貫通する。したがって、ストッパの穴２０の直径は、採油管７の直径よりも大きい。しかしながら、ストッパの穴２０の直径は、キャップ６の最小外径よりも小さい。ストッパ９は、操作棒２の軸方向においてキャップ６の蓋面（キャップ６の軸方向の２つの端面のうち開放されていない方の面）と対向する。
【００３４】
図６では、穴２０の形状は円である。しかしながら、穴２０の形状はこれに限定されない。穴２０の形状は、多角形、楕円等であってもよい。また、図６では、ストッパ９は、開放爪３と一体である場合を示す。しかしながら、ストッパ９は開放爪３と別部材であってもよい。
【００３５】
図５を参照して、採油管操作棒４を操作棒２の軸方向に沿って操作棒２の先端側に押し込むと、キャップ６の蓋面がストッパ９に当たる。そのため、キャップ６の操作棒の軸方向の移動は制限される。しかしながら、上述したように、真空容器５はキャップ６に軽圧入されており、所定位置までキャップ内部に進入可能である。キャップ６がストッパ９に当たった後、採油管操作棒４をさらに操作棒２の軸方向に沿って先端側に押し込むと、真空容器５がさらにキャップ６内部に進入する。キャップ６内部には針１９が突出しているため、針１９が真空容器のシール１８を貫通する。これにより、採油管７の一方の端（針１９側）は真空となり、他方の端は変圧器内の絶縁油の中であるため、真空容器５内の気圧と外気との気圧差により、絶縁油が真空容器５内に流れ込み、採取される。
【００３６】
以上、説明したように、本実施形態の採油工具によれば、変圧器の蓋の開放及び変圧器内の絶縁油の採取の双方を行うことができる。これにより、たとえば変圧器が電柱に取り付けられている場合、変圧器内の絶縁油の採取に際し、変圧器を電柱から取り外す必要がない。したがって、変圧器内の絶縁油採取の大幅な時間の短縮、費用の低減が図れる。また、本実施形態の採油工具では、絶縁性の高い操作棒及び採油管操作棒を用いる。そのため、周辺設備を停電させる必要がなく、かつ、作業者が直接設備の充電部に触れる必要もない。したがって、絶縁油の採取作業における安全性も向上する。
【００３７】
［油吸収部材］
図４を参照して、ストッパは油吸収部材２１を含んでもよい。油吸収部材２１はたとえば、スポンジである。
【００３８】
図５を参照して、油吸収部材２１の内部には採油管７が貫通する。変圧器内の絶縁油を採取し終えると、採油管を変圧器内から引き揚げる。この際、採油管の先端は絶縁油内に浸漬されていたため、採油管の先端から絶縁油が垂れ落ちる可能性がある。採取した絶縁油がＰＣＢを含有している可能性もあるため、絶縁油が垂れ落ち、外部に漏れることを防止する必要がある。ストッパ９が油吸収部材２１を含んでいれば、変圧器から引き揚げられた採油管の先端が、直ちに油吸収部材２１内に収容される。したがって、採油管の先端から絶縁油が垂れ落ちることを抑制できる。
【００３９】
なお、ストッパが油吸収部材を含んでいなくとも、所定の容量の絶縁油が採取できた時点で、真空容器と外気圧に圧力差があるうちに採油管を変圧器から引き揚げることにより、絶縁油から離れる際に採油管先端に残る油滴を吸い上げることが可能である。さらに、採油管の引き揚げ作業を慎重にしたり、絶縁油の垂れ落ち防止シート等を設けたりする等、他の方策により絶縁油の垂れ落ちを防止することは可能である。
【００４０】
［採油方法］
続いて、本実施形態の採油方法について説明する。本実施形態の採油方法は、上述した採油工具を用いて変圧器内の絶縁油を採取する。採油方法は、ボルト緩め工程と、蓋開放工程と、採油管挿入工程と、油採取工程と、を備える。また、本実施形態の採油方法は、周辺設備の停電を要せず、かつ、作業者が直接設備の充電部に触れず遠隔操作で作業を行う、いわゆる間接活線工法である。
【００４１】
［ボルト緩め工程］
変圧器は、容器と、蓋とを含む。変圧器内部は、密封性を高めるため外気に対して僅かに負圧にされる。そのため、変圧器の容器と蓋とは、ロックボルトで強固に固定されている。ボルト緩め工程では、変圧器の蓋のロックボルトを緩める。このような強固に締め付けられたロックボルトを緩めるにはたとえば、次のような工具を用いることができる。
【００４２】
図７は、操作棒に取り付けられたロックボルト締付け・緩め工具の側面図である。図７を参照して、ロックボルト締付け・緩め工具２２は、操作棒２７の先端に取り付けられる。操作棒２７は、汎用の絶縁操作棒である。
【００４３】
図８は、ロックボルト締付け・緩め工具の側面図である。図８を参照して、ロックボルト締付け・緩め工具２２は、取付部２３と、ラチェット軸部２４と、胴体部２５と、先端部２６とを備える。
【００４４】
ラチェット軸部２４は、取付部２３に取り付けられる。図８では、ラチェット軸部の軸方向が操作棒２７の軸方向に垂直な方向に対し、傾斜して取り付けられる場合を示す。しかしながら、ラチェット軸部２４は操作棒２７の軸方向に垂直な方向に取り付けられてもよい。ラチェット軸部２４は、内部にラチェット機構を含む。したがって、ラチェット軸部２４は、ラチェット軸部の軸方向周りの一方向に回転可能である。
【００４５】
胴体部２５は、ラチェット軸部２４に固定される。胴体部２５は、ラチェット軸部２４の半径方向に延びる。胴体部２５の断面形状は特に限定されないが、胴体部２５にはロックボルトのリング（ボルトヘッド）２８が通る。したがって、胴体部２５の断面形状は、リング２８の内周輪よりも小さい。なお、ロックボルト締付け・緩め工具は、胴体部２５に固定された滑り止めリング２９を含んでいてもよい。滑り止めリング２９は、ロックボルトのリング２８が胴体部２５の位置からずれることを防止する。
【００４６】
図９は、ロックボルト締付け・緩め工具の斜視図である。図９を参照して、先端部２６は、胴体部２５に取り付けられる。先端部２６の断面形状は円形である。先端部２６は、胴体部２５の延びる方向に対し湾曲している。先端部２６の断面積は、胴体部２５に固定される方の端と反対側の端に向かって、小さくなる。要するに、先端部２６は先細のかぎ爪形状である。先端部２６は、後述するように変圧器の蓋を僅かに開放し、変圧器内の負圧を逃がすため、このような形状になっている。
【００４７】
ロックボルト締付け・緩め工具２２を用いて、変圧器のロックボルトを緩める方法を説明する。
【００４８】
図９を参照して、操作棒に取り付けられたロックボルト締付け・緩め工具の先端部２６をロックボルト３０のリング２８に通す。そして、リング２８内に胴体部２５が位置するようにする。操作棒２７を操作し、リング２８の内周輪の２箇所に胴体部２５を当てる。この状態からラチェット軸部２４が回転しない方向、かつ、ロックボルト３０を緩める方向に操作棒２７を操作する。すると、この方向にはラチェット軸部２４は取付部２３に対して回転しないため、操作棒２７に加えた力がリング２８に伝達され、ロックボルト３０が緩まる。
【００４９】
通常、ラチェット機能がなければ、作業者がロックボルトを緩める方向に操作棒を操作すると、作業者が同一の場所にいる限り操作棒２７を操作できる範囲は限られる。すなわち、作業者が同一場所にいる限り、ロックボルトを緩める方向に所定の量しか回転させることしかできない。しかしながら、本実施形態のロックボルト締付け・緩め工具は、ラチェット軸部２４を含み、ラチェット軸部２４は、一方向（ロックボルトを締めつける方向）に回転可能である。したがって、ロックボルトを緩めるため所定量移動させた操作棒を元の位置に戻しても（ロックボルトを締めつける方向に回しても）、工具の胴体部２５及び先端部２６はロックボルトを所定量回転させた位置のまま留まる。そして、元の位置に戻した操作棒２７を再び操作することで、ロックボルトを所定量回転させた位置からさらに所定量回転させることができる。図１０の矢印で示すように、これを繰り返すことにより、作業者がロックボルト周りに移動しなくても、ロックボルトを完全に緩めることができる。
【００５０】
本実施形態の採油方法は、ボルト緩め工程の後、蓋開放工程の前に、圧力調整工程を含んでいてもよい。上述したように、変圧器内は外気に対して負圧状態となっている。そのため、圧力調整工程では、変圧器の蓋を僅かに開放し、変圧器内の気圧を外気と同じにする。
【００５１】
この圧力調整工程でも、上述したロックボルト締付け・緩め工具２２を用いることができる。変圧器に設置されている複数のロックボルト全てを完全に緩めた後、工具の先端部を変圧器３１の蓋３２と容器３３との間に差し込む。そして、操作棒２７を操作することで、変圧器の蓋３２を僅かに持ち上げ、変圧器内の圧力を外気と同じにする。先端部２６が先細のかぎ爪形状であるため、容易に蓋と容器の間に先端部を差し込み、持ち上げることができる。
【００５２】
なお、本実施形態のボルト緩め工程では、上述したロックボルト締付け・緩め工具以外の汎用の工具を用いてロックボルトを緩めてもよい。
【００５３】
［蓋開放工程］
図１１は、蓋開放工程を示す図である。図１１を参照して、蓋開放工程では、採油工具１の操作棒２の先端部１１及び開放爪３で、ロックボルトが緩められた変圧器３１の蓋３２を開放する。上述したように、採油工具の先端部１１の先端円筒部１２は、先端部１１のうちで最も外径が大きい。この先端円筒部１２を蓋３２の上面に当て、開放爪３を蓋３２と容器３３との間に差し込む。これにより、てこの原理により、容易に変圧器の蓋を開放できる。
【００５４】
［採油管挿入工程］
図１２は、採油管挿入工程を示す図である。図１２を参照して、採油管挿入工程では、採油管操作棒４を操作し、蓋３２が開放された変圧器３１の内部に、採油管７の先端を挿入する。上述したように、採油管操作棒４は操作棒２の軸方向に移動可能である。採油管挿入工程が実施される際、上述の蓋開放工程が実施されており、工具の操作棒及び開放爪によって変圧器の蓋３２が開放されている状態である。この状態で、採油管操作棒４を操作棒２の軸方向に沿って先端側に押し込むと、採油工具１の先端から採油管７が飛び出す。これにより、採油管７が変圧器３１内に挿入される。採油管挿入工程では、採油工具のキャップ６がストッパ９に当たるまで採油管操作棒４が押し込まれる。
【００５５】
［油採取工程］
図５を参照して、油採取工程では、キャップ６がストッパ９に当たった後、採油管操作棒４をさらに押し込み、真空容器のシール１８に採油管の針１９を貫通させる。これにより、真空容器内と外気との圧力差により、変圧器内の絶縁油が真空容器内に流入し、採取される。採取された絶縁油は、分析され、ＰＣＢの含有の有無が調査される。
【００５６】
絶縁油を採取した後、採油管操作棒４を操作棒２の軸方向に沿って後端側に引き戻すと、変圧器３１から採油管が引き揚げられる。採油管を引き揚げた後、操作棒２を操作し、解放されている変圧器の蓋を閉じる。そして、上述のボルト緩め工程と反対の作業を行い、ロックボルトを締めつける。これにより、採油作業が完了する。
【００５７】
なお、ロックボルトを締めつける前に、ロックボルト及びロックボルトの取付金具（座金）を所定の位置に戻す必要がある。その際にはたとえば、次のような工具を用いることができる。
【００５８】
図１３は、金具戻し工具の斜視図である。図１３を参照して、金具戻し工具３４は、取付部３５と、磁石保持部３６と、磁石３７とを含む。取付部３５は、操作棒２７の先端に取り付けられる。磁石保持部３６は、磁石３７を保持する。磁石３７はたとえば、永久磁石である。ロックボルト及び取付金具は磁性体金属であるため、操作棒２７を操作し、磁石３７をロックボルト及び取付金具に近づけると、ロックボルト及び取付金具は磁石に付く。そのため、金具戻し工具３４を用いれば、ロックボルト及び取付金具を所定の位置に容易に戻すことができる。
【００５９】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【符号の説明】
【００６０】
１：採油工具
２：操作棒
３：開放爪
４：採油管操作棒
５：真空容器
６：キャップ
７：採油管
８：連結部材
９：ストッパ
１１：先端部
１８：シール
１９：針
２１：油吸収部材
３１：変圧器
【図１】
2019102717.tif 000003
【図２】
2019102717.tif 000004
【図３】
2019102717.tif 000005
【図４】
2019102717.tif 000006
【図５】
2019102717.tif 000007
【図６】
2019102717.tif 000008
【図７】
2019102717.tif 000009
【図８】
2019102717.tif 000010
【図９】
2019102717.tif 000011
【図１０】
2019102717.tif 000012
【図１１】
2019102717.tif 000013
【図１２】
2019102717.tif 000014
【図１３】
2019102717.tif 000015